(57)【特許請求の範囲】
【請求項１】
高電圧発生部を有し、電源及び、光源となる放電灯と電気的に接続されて放電灯の点灯制御をおこなう点灯回路を回路基板に形成し、同回路基板をケース内に収容してなる放電灯点灯装置において、前記高電圧発生部は、パルス電圧を発生させるための電源であって、前記高電圧発生部を、前記電源側及び放電灯側との接続端部を結ぶ方向に向け前記回路基板縁部に沿うように設けたことを特徴とする放電灯点灯装置。
【請求項２】
放電灯側の接続端部を前記回路基板の隅側へ偏った位置に配設してなる請求項１記載の放電灯点灯装置。
【請求項３】
高電圧発生部を前記放電灯側の接続端部側へ偏った位置に配設してなる請求項１又は２記載の放電灯点灯装置。
【請求項４】
前記高電圧発生部は、前記点灯回路を構成する昇降圧用の電力変換部に設けられたトランスの交番電圧出力がその入力となるよう構成され、且つ、該電力変換部と放電灯側の接続端部との間にその高電圧発生部のみが設けられた請求項２または３記載の放電灯点灯装置。
【請求項５】
請求項１乃至４のいずれか一つの請求項に記載の放電灯点灯装置から放電灯点灯用のイグナイタを介して放電灯と電気的接続してなることを特徴とする照明装置。
【発明の詳細な説明】
【０００１】
【発明の属する技術分野】
本発明は、ＨＩＤランプ等の放電灯を光源とする放電灯点灯装置及び照明装置に関するものである。
【０００２】
【従来の技術】
従来から、図３に示すように、高電圧発生部（図示せず）を有し、電源及び、光源となる放電灯１０１と電気的に接続されて放電灯１０１の点灯制御をおこなう点灯回路を回路基板に形成し、同回路基板をケース内に収容してなる放電灯点灯装置１００がある。この放電灯点灯装置１００は、例えば自動車用前照灯で、放電灯１０１の周囲を囲って配光制御をおこなう、一面に開口部をもった反射鏡１０２と、放電灯１０１の点灯制御をおこなうもので電子式バラストと呼ばれている、電源、及び光源装着用のソケット１０３と電気的に接続された点灯回路が、この場合、前面開口の筐体１０４下部のケース内に設けられて構成されている。
【０００３】
この点灯回路は、例えば図４の回路例に示す構成で、その回路基板ブロックとなる、入力フィルタ１０６、ＤＣ−ＤＣコンバータ及び低周波インバータを有する電力変換部１０７、出力フィルタ１０８、高電圧発生部１０９、制御回路１１０と、イグナイタ１１１とにより形成されている。
【０００４】
電源Ｅ１からの直流電圧は、回路基板１０５の入力端を経てノイズ吸収用の入力フィルタ１０６を通り、電力変換部１０７の前段となるＤＣ−ＤＣコンバータに入力される。この電力変換部１０７は、放電灯１０１を安定点灯させるためのもので、電源Ｅ１による直流電圧を一旦昇圧し、負荷電源の低周波交流へ電力変換を行うとともに負荷への電力供給制御をしている。すなわち、電力変換部１０７の後段の低周波インバータは、放電灯１０１への出力電圧の極性を低周波で交番させることにより矩形波点灯を可能とさせている。
【０００５】
イグナイタ１１１は、電源投入時に放電灯１０１の電極間を絶縁破壊させて放電灯１０１を点灯に至らしめるもので、通常、数ｋＶ〜数１０ｋＶのパルス電圧を生成する。したがって、このイグナイタ１１１は放電灯１０１の近くに設けられる。このものにおいては、上記のパルス電圧をイグナイタ１１１にて発生させるため、高電圧発生部１０９を介して電力変換部１０７のＤＣ−ＤＣコンバータの交番電圧を数ｋＶに昇圧させ、回路基板１０５の出力端を介してイグナイタ１１１に入力している。すなわち、このイグナイタ１１１には、電力変換部１０７からノイズ吸収用の出力フィルタ１０８を経る経路と、及び高電圧発生部１０９とからの２経路から、回路基板１０５の出力端を経て電圧印加される。なお、制御回路１１０は、電力変換部１０７と高電圧発生部１０９から電力変換部１０７にフィードバック制御をおこなうもので、ＩＣにて形成されている。
【０００６】
上記点灯回路は、図５に示した回路基板１０５の、入力端１１２及び出力端１１３の間に回路パターンが重ならないように各回路部品が配置され形成されて、上記筐体１０４下部のケース内に収められる。そして、この回路基板１０５に電源電圧が印加されると、放電灯１０１が点灯されて発光状態となり、放電灯点灯装置１００の前面側に、この放電灯１０１から発生した光が反射鏡１０２により配光制御されて照明することができる。
【０００７】
【発明が解決しようとする課題】
しかしながら、上記従来の技術の場合、高電圧発生部１０９が回路基板１０５の略中心位置に配置され、入力フィルタ１０６、電力変換部１０７、出力フィルタ１０８及び制御回路１１０がその高電圧発生部１０９の周囲に配置されている。したがって、高電圧発生部１０９とこれらの周囲の回路とは、互いの回路パターン間に適切な絶縁距離を確保する必要がある。その結果、高電圧発生部１０９の周囲に部品配置のできない大きな領域（斜線部分Ａ）が生じて回路基板が大きくなるという問題があった。
【０００８】
また、この高電圧発生部１０９は、比較的高い周波数にて動作する。したがって、それに接近させて制御回路１１０となるＩＣ部品を設けたときに、制御回路１１０が誤動作することも懸念されていた。
【０００９】
本発明は、上記事由に鑑みてなしたもので、その目的とするところは、高電圧発生部を適切に回路基板上に配設させて回路基板を容易に小型化することの可能な放電灯点灯装置及び照明装置を提供することにある。
【００１０】
【課題を解決するための手段】
上記目的を達成するために、本発明の放電灯点灯装置にあっては、高電圧発生部を有し、電源及び、光源となる放電灯と電気的に接続されて放電灯の点灯制御をおこなう点灯回路を回路基板に形成し、同回路基板をケース内に収容してなる放電灯点灯装置において、前記高電圧発生部は、パルス電圧を発生させるための電源であって、前記高電圧発生部を、前記電源側及び放電灯側との接続端部を結ぶ方向に向け前記回路基板縁部に沿うように設けたことを特徴としている。
【００１１】
この構成にて、点灯回路の高電圧発生部が、回路基板の電源側及び放電灯側との接続端部を結ぶ方向のその縁部に沿うよう縦長状に形成される。したがって、回路基板において、高電圧発生部周囲の部品配置のできない領域を縮小できる。
【００１２】
そして、上記放電灯側の接続端部を前記回路基板の隅側へ偏った位置に配設することが好ましい。この場合、縦長状形成された点灯回路の高電圧発生部が、回路基板の隅側へ偏った位置の放電灯側の接続端部に連通形成される。したがって、回路基板の高電圧発生部周囲の、部品配置のできない領域をより縮小できる。
【００１３】
また、上記高電圧発生部を前記放電灯側の接続端部側へ偏った位置に配設するのも好ましい。この場合、点灯回路の高電圧発生部が、回路基板の、放電灯側の接続端部近くに集中形成される。したがって、回路基板の高電圧発生部周囲の、部品配置のできない領域をより縮小できる。
【００１４】
また、上記高電圧発生部は、前記点灯回路を構成する昇降圧用の電力変換部に設けられたトランスの交番電圧出力がその入力となるよう構成され、且つ、該電力変換部と放電灯側の接続端部との間にその高電圧発生部のみが設けるのが好ましい。この場合、放電灯の点灯制御用の点灯回路を構成する高電圧発生部は、昇降圧用の電力変換部に設けられたトランスの交番電圧出力がその入力となるよう構成され、さらにその高電圧発生部のみがその電力変換部と放電灯側の接続端部との間に設けられて回路基板が形成される。
【００１５】
また、本発明の照明装置にあっては、上記のいずれか一つの構成による放電灯点灯装置から放電灯点灯用のイグナイタを介して放電灯と電気的接続してなることを特徴としている。
【００１６】
【発明の実施の形態】
図１、２は、本発明の請求項１乃至５全てに対応する一実施の形態を示し、図１は、本発明の一実施の形態の放電灯点灯装置の回路基板を示す概略構成図、図２は、同放電灯点灯装置の他実施例の回路基板の概略構成を示す説明図である。
【００１７】
この実施の形態の放電灯点灯装置１は、高電圧発生部５を有し、電源８及び、光源となる放電灯９と電気的に接続されて放電灯９の点灯制御をおこなう点灯回路を回路基板１０に形成し、同回路基板１０をケース内に収容してなる放電灯点灯装置１において、前記高電圧発生部５を、前記電源８側及び放電灯９側との接続端部（１１，１２）を結ぶ方向に向け前記回路基板１０縁部に沿うように設けてなる。
【００１８】
また、該実施の形態の放電灯点灯装置１においては、放電灯９側の接続端部（１２）を前記回路基板１０の隅側へ偏った位置に配設してもいる。また、該実施の形態の放電灯点灯装置１においては、前記高電圧発生部５は、前記点灯回路を構成する昇降圧用の電力変換部３に設けられたトランスＴ１の交番電圧出力がその入力となるよう構成され、且つ、該電力変換部３と放電灯側の接続端部１２との間にその高電圧発生部５のみを設けてもいる。
【００１９】
詳しくは、放電灯点灯装置１は、例えば図３を用いて従来の技術の項にて説明した自動車用前照灯の本体部や、建物の天井に埋込設置されるダウンライトなどの照明装置として好適に使用することができる。すなわち、光源ランプとなる放電灯９がその内側に装着される反射鏡、及びこの反射鏡保護用の一端面の開口した筐体を有する照明装置に装着されて放電灯９を点灯させる。なお、この放電灯点灯装置１は、図３に示すように、電源８とは外部電線を介して、放電灯９とは、上記反射鏡背面に設けられる前述のソケット内部に設けられるイグナイタ７を介して内部電線を介して接続されている。
【００２０】
この放電灯点灯装置１の点灯回路となる回路基板１０は、例えばガラスエポキシ樹脂基材による片面回路基板にて形成され、図１に示すように、入力フィルタ２と、電力変換部３に相当するコンバータと、出力フィルタ４と、高電圧発生部５と、制御回路６とを備えている。そして、それぞれ配線接続用のコネクタが設けられている、電源８側の接続端部となる入力端１１と、放電灯９側の接続端部となる出力端１２との間に形成されている。なお、上記の各回路構成は、図４に示して従来の技術の項にて述べたものと同じで、入力フィルタ２、電力変換部３、出力フィルタ４及び制御回路６が低圧部、高電圧発生部５が高圧部となる。
【００２１】
この場合、出力端１２が、回路基板１０の４隅のうちの１隅側に偏って配設され、高圧部の高電圧発生部５がこの出力端１２に接するよう配設され、低圧部の入力フィルタ２、電力変換部３、出力フィルタ４及び制御回路６が、これらを包囲するよう出力端１２につながっている。また、この場合、点灯回路を構成する高電圧発生部５は、図４に示したように、電力変換部３に設けられた昇降圧用トランスＴ１の交番電圧出力がその入力となるよう構成され、さらにこの高電圧発生部５のみがその電力変換部３と放電灯側の接続端部となる出力端１２との間に、回路基板１０の電源８側及び放電灯９側との接続端部の入力端１１、出力端１２を結ぶ方向のその縁部に沿うよう縦長状に形成されているので、高圧部と低圧部との接する境界をより小さくすることにてその間が効果的に隔離される。
【００２２】
上記の放電灯点灯装置１においては、点灯回路の高電圧発生部５が、回路基板１０の電源８側及び放電灯９側との接続端部を結ぶ方向のその縁部に沿うよう縦長状に形成され、その回路基板１０が、図３に示した筐体１０４下部のケース内に収められる。そして、この回路基板１０に電源電圧が印加されて光源ランプの放電灯９が点灯されて発光状態となり、この放電灯９から発生した光が上記反射鏡により配光制御されて照明する。
【００２３】
したがって、以上説明した放電灯点灯装置１によると、点灯回路の高電圧発生部５が、回路基板１０の電源８側及び放電灯９側との接続端部を結ぶ方向のその縁部に沿うよう縦長状に形成されるので、回路基板１０において、高電圧発生部５周囲の部品配置のできない領域（斜線部分）を縮小でき、以て、高電圧発生部５を適切に回路基板１０上に配設させて回路基板１０を容易に小型化することができる。
【００２４】
そして、縦長状形成された点灯回路の高電圧発生部５が、回路基板１０の隅側へ偏った位置の放電灯９側の接続端部に連通形成されるので、回路基板１０の高電圧発生部５周囲の、部品配置のできない領域をより縮小できる。また、放電灯の点灯制御用の点灯回路を構成する高電圧発生部５は、昇降圧用の電力変換部３に設けられたトランスの交番電圧出力がその入力となるよう構成され、さらにその高電圧発生部５のみがその電力変換部３と出力端１２との間に設けられて回路基板１０が形成されるので、回路基板１０の高電圧発生部５周囲の、部品配置のできない領域をさらに縮小できて、照明装置全体を小型に構成することができる。
【００２５】
なお、本発明は、上記に示されたもの以外に、例えば、図２（ａ）に示すように、放電灯９側の接続端部を回路基板１０の一縁の中間位置に配設したもの、図２（ｂ）に示すように、高電圧発生部５を電源８側及び放電灯９側との接続端部を結ぶ方向に向け、回路基板１０縁部に沿うよう放電灯９側の接続端部に向けてより縦長状に配設したもの、あるいは、図２（ｃ）に示すように、高電圧発生部５、放電灯９側の接続端部を回路基板１０の交わる二縁の中間位置にそれぞれ配設したもの等、各種実施形態のものにおいても、勿論、高圧部と低圧部との接する境界を従来の構成より小さくすることができる。
【００２６】
【発明の効果】
本発明は、上述の実施態様の如く実施されて、回路基板において、高電圧発生部周囲の部品配置のできない領域部分を縮小でき、以て、高電圧発生部を適切に回路基板上に配設させて回路基板を容易に小型化することができ、照明装置全体を小型に構成することができる。
【図面の簡単な説明】
【図１】本発明の一実施形態である放電灯点灯装置の回路基板を示す概略構成図である。
【図２】同放電灯点灯装置の他実施例の回路基板の概略構成を示す説明図である。
【図３】放電灯点灯装置及び照明装置の一例を示す概略構成図である。
【図４】放電灯点灯装置の点灯回路一例を示す回路図である。
【図５】本発明の従来例である放電灯点灯装置の回路基板を示す概略構成図である。
【符号の説明】
１    放電灯点灯装置
３    電力変換部
５    高電圧発生部
８    電源
９    放電灯
１０  回路基板
【図１】
0003968987.tif 000002
【図２】
0003968987.tif 000003
【図３】
0003968987.tif 000004
【図４】
0003968987.tif 000005
【図５】
0003968987.tif 000006